(57)【要約】【課題】中身が密封包装されたパウチを容易に開封でき、開封後は固形状の中身をパウチ内に保持するために容易に定形状に外観的にも良好に再封鎖でき、粉粒状や液状等の中身を取出し注出し易くすることが可能なパウチを提供する。【解決手段】筒状偏平体Ｓの片面Ｓ1 中央部に筒軸縦方向に背シール部１と該筒状偏平体Ｓの両端開口部に底シール部２と天シール部３とを備え、背シール部１の天シール部３寄りに天シール部３に離間して開封用ノッチ６を設け、該開封用ノッチ６により背シール部１と直交する方向にパウチ本体を開封させる直線状の仮想開封ラインＬを設けた背シール形態の偏平状パウチであって、仮想開封ラインＬに沿って開封したパウチ開口部１１からパウチ本体内に天シール部３をパウチ開口部方向に折り曲げ挿入して再封可能にした。【選択図】図１
2011178404.tif 000002
【特許請求の範囲】
【請求項１】
筒状偏平体Ｓの片面Ｓ1 中央部に筒軸縦方向に背シール部１と該筒状偏平体Ｓの両端開口部に底シール部２と天シール部３とを備え、背シール部１の天シール部３寄りに天シール部３に離間して開封用ノッチ６を設け、該開封用ノッチ６により前記背シール部１と直交する方向にパウチ本体を開封させる直線状の仮想開封ラインＬを設けた背シール形態の偏平状パウチであって、前記仮想開封ラインＬに沿って切り裂き開封したパウチ本体の開封開口するパウチ開口部１１からパウチ本体内に、前記天シール部３を、パウチ開口部方向に折り曲げ挿入することにより再封可能にしたことを特徴とするリクローズ可能な背シール形態の偏平状パウチ。
【請求項２】
前記パウチ本体の天シール部３と仮想開封ラインＬとの間に、前記天シール部３をパウチ開口部方向に折り曲げるための可視表示された折目線又は折り癖付けした折目線などの折目部７が設けられていることを特徴とする請求項１記載のリクローズ可能な背シール形態の偏平状パウチ。
【請求項３】
筒状偏平体Ｓの片面Ｓ1 中央部に筒軸縦方向に背シール部１と該筒状偏平体Ｓの両端開口部に底シール部２と天シール部３とを備え、背シール部１の天シール部３寄りに天シール部３に離間して開封用ノッチ６を設け、該開封用ノッチ６により前記背シール部１と直交する方向にパウチ本体を開封させる直線状の仮想開封ラインＬを設けた背シール形態の偏平状パウチであって、前記仮想開封ラインＬに沿って切り裂き開封したパウチ本体の開封開口するパウチ開口部１１からパウチ本体内に、前記天シール部３とパウチ本体両側端部４、５とにより形成される天シール部３両端の一対の各々角隅部３ａ、３ｂを、パウチ開口部方向に斜めに折り曲げ挿入することにより再封可能にしたことを特徴とするリクローズ可能な背シール形態の偏平状パウチ。
【請求項４】
前記パウチ本体の天シール部３と仮想開封ラインＬとの間に、前記天シール部３両端の一対の各々角隅部３ａ、３ｂを、パウチ開口部方向に斜めに折り曲げるための可視表示された折目線又は折り癖付けした折目線などの折目部７が設けられていることを特徴とする請求項３記載のリクローズ可能な背シール形態の偏平状パウチ。
【請求項５】
前記背シール部１のシール内側端１ｂ、又は内外両側端１ａ、１ｂに沿って、筒状偏平体Ｓの背シール部３形成側の全体又は部分的に、粉粒状等の内容物注出用の可視表示された折目線又は山折り形状に癖付けした折目部８が設けられていることを特徴とする請求項１乃至４のいずれか１項記載のリクローズ可能な背シール形態の偏平状パウチ。
【請求項６】
前記折目部８は、前記仮想開封ラインＬと交差するように設けられていることを特徴とする請求項５記載のリクローズ可能な背シール形態の偏平状パウチ。
【発明の詳細な説明】
【技術分野】
【０００１】
本発明は、菓子類や冷凍食品類等を包装する柔軟な包装材料により製袋されたリクローズ可能な背シール形態の偏平状パウチに関する。
【背景技術】
【０００２】
一般的にピロー包装形態にて包装するための柔軟なフィルム包装材料により製袋されるパウチとして、背シールされて製袋された偏平状のパウチがあり、偏平状パウチの片面の中央部に縦方向に背シール部を備え、背シール部の所定位置には、開封のきっかけとなるノッチが形成されているか、あるいは背シール部の一部乃至全部に開封のきっかけとなる微細な傷加工が形成されている。
【０００３】
このようなパウチに関連する公知技術としては、例えば、特許文献１、特許文献２があり、背シール部の開封したい位置を両手にて摘み、背シール部と直交する左右両側方向に引っ張ることにより開封することができるようになっている。
【０００４】
このような従来の偏平状背シール形態のパウチ内に、和菓子（どら焼きなど）や洋菓子（クリームケーキ、ステック状菓子など）の菓子類や、冷凍食品類（おにぎり、コロッケ等）、固形日用品類などの塊状の固状体、あるいは粉体、顆粒、粒体（冷凍ピラフ等）などの粉粒状の固状体や、飲料や液状調味料、液状洗浄剤等薬品類などの液状体等の中身を収納して密封包装した商品は、パウチから中身を取り出す際には、背シール部の開封したい位置を両手にて摘み、背シール部の所定位置に形成されているノッチなどをきっかけとして背シール部と直交するパウチの左右両側方向に引っ張ることにより、容易に開封して中身を取り出すことができる。
【０００５】
しかしながら、パウチの中身が液状体以外の塊状の固状体や、粉体、顆粒、粒体等の粉粒状の固状体の場合、パウチを開封した後に、中身の一部をパウチ内に残して再封したい場合には、パウチ内に残した固形状の中身がパウチ内から外に飛び出さないように、開封したパウチの開口側を不定形状に丸めたり折り曲げたり、あるいは不定形状に丸めたり折り曲げたりした所を、輪ゴムなどで締め止めしたりしていたため再封し難い。
【０００６】
そのため、比較的柔軟性フィルム素材を用いたパウチであっても、その硬度の状態によっては、さらに再封し難く、中身をパウチ内に安定して保持することが難しく、また不定形状に再封するため、パウチの容器としての外観を損なう場合があった。
【０００７】
また、中身が粉体状、顆粒状、粒状など粉粒状の固状体や液体状の場合、パウチを開封して別の容器等に注出したい場合には、パウチの外観形状が偏平状のピロー包装形状であり、パウチが柔軟なフィルムで製袋されているために、開封後のパウチが手で持ち難いだけでなく、開封したパウチの開口注出側が柔軟フィルムであるために注出位置が定まらせず粉体状、顆粒状、粒状、液状の中身を取出し難く、注出し難い面があった。
【先行技術文献】
【特許文献】
【０００８】
【特許文献１】実開昭５７−６４４３４号公報
【特許文献２】特許第３７０３６７６号公報
【発明の概要】
【発明が解決しようとする課題】
【０００９】
本発明の課題は、上記不都合を解消することにあり、中身が密封包装されたパウチを、容易に開封でき、開封後には、固形状の中身をパウチ内に保持するために、容易に定形状に再封鎖することができ、外観的にも良好に再封鎖することが可能であって、しかも粉粒状や液状等の中身を取出し注出し易くすることが可能なリクローズ可能な背シール形態の偏平状パウチを提供することにある。
【課題を解決するための手段】
【００１０】
本発明の請求項１に係る発明は、筒状偏平体Ｓの片面Ｓ1 中央部に筒軸縦方向に背シール部１と該筒状偏平体Ｓの両端開口部に底シール部２と天シール部３とを備え、背シール部１の天シール部３寄りに天シール部３に離間して開封用ノッチ６を設け、該開封用ノッチ６により前記背シール部１と直交する方向にパウチ本体を開封させる直線状の仮想開封ラインＬを設けた背シール形態の偏平状パウチであって、前記仮想開封ラインＬに沿って切り裂き開封したパウチ本体の開封開口するパウチ開口部１１からパウチ本体内に、前記天シール部３を、パウチ開口部方向に折り曲げ挿入することにより再封可能にしたことを特徴とするリクローズ可能な背シール形態の偏平状パウチである。
【００１１】
本発明の請求項２に係る発明は、上記請求項１に係るリクローズ可能な背シール形態の偏平状パウチにおいて、前記パウチ本体の天シール部３と仮想開封ラインＬとの間に、前記天シール部３をパウチ開口部方向に折り曲げるための可視表示された折目線又は折り癖付けした折目線などの折目部７が設けられていることを特徴とするリクローズ可能な背シール形態の偏平状パウチである。
【００１２】
本発明の請求項３に係る発明は、筒状偏平体Ｓの片面Ｓ1 中央部に筒軸縦方向に背シール部１と該筒状偏平体Ｓの両端開口部に底シール部２と天シール部３とを備え、背シール部１の天シール部３寄りに天シール部３に離間して開封用ノッチ６を設け、該開封用ノッチ６により前記背シール部１と直交する方向にパウチ本体を開封させる直線状の仮想開封ラインＬを設けた背シール形態の偏平状パウチであって、前記仮想開封ラインＬに沿って切り裂き開封したパウチ本体の開封開口するパウチ開口部１１からパウチ本体内に、前記天シール部３とパウチ本体両側端部４、５とにより形成される天シール部３両端の一対の各々角隅部３ａ、３ｂを、パウチ開口部方向に斜めに折り曲げ挿入することにより再封可能にしたことを特徴とするリクローズ可能な背シール形態の偏平状パウチである。
【００１３】
本発明の請求項４に係る発明は、上記請求項３に係るリクローズ可能な背シール形態の偏平状パウチにおいて、前記パウチ本体の天シール部３と仮想開封ラインＬとの間に、前記天シール部３両端の一対の各々角隅部３ａ、３ｂを、パウチ開口部方向に斜めに折り曲げるための可視表示された折目線又は折り癖付けした折目線などの折目部７が設けられていることを特徴とするリクローズ可能な背シール形態の偏平状パウチである。
【００１４】
本発明の請求項５に係る発明は、上記請求項１乃至４のいずれか１項に係るリクローズ可能な背シール形態の偏平状パウチにおいて、前記背シール部１のシール内側端１ｂ、又は内外両側端１ａ、１ｂに沿って、筒状偏平体Ｓの背シール部３形成側の全体又は部分的に、粉粒状等の内容物注出用の可視表示された折目線又は山折り形状に癖付けした折目部８が設けられていることを特徴とするリクローズ可能な背シール形態の偏平状パウチである。
【００１５】
本発明の請求項６に係る発明は、上記請求項５に係るリクローズ可能な背シール形態の偏平状パウチにおいて、前記折目部８は、前記仮想開封ラインＬと交差するように設けられていることを特徴とするリクローズ可能な背シール形態の偏平状パウチである。
【発明の効果】
【００１６】
本発明のリクローズ可能な背シール形態の偏平状パウチは、仮想開封ラインに沿って切り裂くことにより容易に開封して開封開口部を形成でき、開封開口部から塊状、粉粒状等の固体状の内容物を取り出すことができる。また仮想開封ラインに沿って切り裂き開封したパウチ本体の開封開口するパウチ開口部からパウチ本体内に、天シール部をパウチ開口部方向に、該天シール部に対して平行に、必要に応じて形成された折目を介して折り曲げて、パウチ開口部内に容易に挿入することができ、これにより従来よりもパウチを定形状に容易に再封することができる。
【００１７】
また、本発明のリクローズ可能な背シール形態の偏平状パウチは、仮想開封ラインに沿って切り裂き開封したパウチ本体の開封開口するパウチ開口部からパウチ本体内に、天シール部と、パウチ本体両側端部とにより形成される天シール部の両端の一対の各々角隅部を、パウチ開口部方向に斜めに必要に応じて形成された折目部を介して折り曲げて、パウチ開口部内に容易に挿入することができ、これにより従来よりもパウチを定形状に容易に再封することができる。
【００１８】
また、本発明のリクローズ可能な背シール形態の偏平状パウチは、仮想開封ラインに沿って切り裂き開封したパウチ本体の開封開口するパウチ開口部を、注出用の折目部を介して山折り状のＶの字状に開口させることができ、開口した該パウチ開口部のＶの字状部を注出ガイドとして、パウチ開口部から、塊状、粉粒状等の微細な固体状の内容物や液体状の内容物等を、外にこぼさずに容易に注出することができる。
【００１９】
このように本発明のリクローズ可能な背シール形態の偏平状パウチによれば、中身（内容物）が密封包装されたパウチを、容易に開封でき、開封後には、塊状、粉粒状等の固体状の中身をパウチ内に保持するために、パウチを定形状にして容易に再封鎖することができ、外観的にも良好に再封鎖することが可能であり、しかも粉粒状や液状等の中身を取出し注出し易くすることが可能になるものである。
【図面の簡単な説明】
【００２０】
【図１】（ａ）は本発明のリクローズ可能な背シール形態の偏平状パウチの全体斜視図、（ｂ）、（ｃ）はそのｘ−ｘ側断面図。
【図２】（ａ）〜（ｃ）は本発明の偏平状パウチを仮想開封ラインＬに沿って開封する過程を説明する全体斜視図。
【図３】（ａ）〜（ｂ）は本発明の偏平状パウチを開封した後に再封する過程の一例を説明する全体斜視図。
【図４】（ａ）〜（ｃ）は本発明の偏平状パウチを開封した後に再封する過程の他の例を説明する全体斜視図。
【発明を実施するための形態】
【００２１】
本発明のリクローズ可能な背シール形態の偏平状パウチの実施の形態を、図面に基づいて以下に詳細に説明すれば、本発明の背シール形態の偏平状パウチは、図１（ａ）〜（ｂ）に示すように、筒状偏平体Ｓの片面Ｓ1 の中央部に、その筒状偏平体Ｓの筒軸縦方向に、背シール部１と、該筒状偏平体Ｓの両端開口部に底シール部２と、天シール部３とを備えている。なお、図中４、５は背シール形態の偏平状パウチの両側端部を示す。
【００２２】
前記偏平状パウチの背シール部１の天シール部３寄りには、該天シール部３に離間して小さな切り込み、切り抜きなどにより形成された開封用ノッチ６が設けられ、さらに、前
記背シール部１と直交する方向に、該開封用ノッチ６によりパウチ本体を開封させるための直線状の仮想開封ラインＬが設けられている。
【００２３】
本発明の背シール形態の偏平状パウチは、一実施の形態として、前記仮想開封ラインＬに沿って切り裂き開封されるパウチ本体の開封開口するパウチ開口部１１からパウチ本体内に、天シール部３をパウチ開口部方向に、略平行に折り曲げて挿入することができるようになっていて、これにより再封が可能になっている。
【００２４】
本発明の背シール形態の偏平状パウチの製袋形態は、特に本発明では限定されるものではないが、図１（ａ）に示す製袋するための筒状偏平体Ｓとなるものは、図１（ｂ）に示すように、通常のパウチ用の柔軟なフィルム包材を丸めて、又は折り曲げて筒状にし、そのフィルム包材の対向する両端部を重ね合わせてヒートシールすることにより背シール部１を形成して筒状偏平体Ｓとする。この場合、一般的には筒状偏平体Ｓの両側端部４、５に沿っヒートシール部は形成されていないが、用途によっては両側端部４、５の一方若しくは両方に沿っ密封用のヒートシール部が形成されていてもよい。
【００２５】
また図１（ｃ）に示すように、背シール形態の偏平状パウチの筒状偏平体Ｓの両側端部４、５に、筒状偏平体Ｓの内側にフィルム包材が折り込まれた状態の折り込み部４ａ、５ａが形成されたガゼット形式であってもよく、偏平状パウチが、このようなガゼット形式の場合には、一般的には筒状偏平体Ｓの両側端部４、５に沿って密封用のヒートシール部が形成されている場合が多いが、用途によっては両側端部４、５のいずれか１方若しくは両方にヒートシール部が形成されていてもよい。
【００２６】
図２（ａ）〜（ｃ）は、図１（ａ）、（ｂ）に示した本発明のリクローズ可能な背シール形態の偏平状パウチを、直線状の仮想開封ラインＬに沿って開封する過程を説明する斜視図であり、（ａ）は未開封の状態のパウチ、（ｂ）は未開封の状態のパウチを、ノッチ６をきっかけに仮想開封ラインＬに沿って開封する状態を説明し、（ｃ）は仮想開封ラインＬに沿って開封して、開封開口部１１を形成した状態を説明する。
【００２７】
上記本発明のリクローズ可能な背シール形態の偏平状パウチにおいては、前述した一実施の形態として、パウチ本体の開封開口するパウチ開口部１１からパウチ本体内に天シール部３をパウチ開口部方向に略平行に折り曲げ挿入して再封が可能になっているが、図３（ａ）、（ｂ）に示すように、パウチ本体の筒状偏平体Ｓに形成された天シール部３と仮想開封ラインＬとの間に、偏平状パウチの天シール部３側をパウチ開口部１１の方向に略平行に折り曲げるための印刷等により可視表示された折目線、又は罫押し（プレス加工）等により癖付けした折目線など折目部７が設けられていてもよく、この折目部７に沿って折り曲げることにより、パウチ本体内に天シール部３をパウチ開口部方向に略平行に折り曲げて挿入して再封することができる。
【００２８】
また、本発明のリクローズ可能な背シール形態の偏平状パウチにおいては、他の実施の形態として、図４（ａ）に示すように、前記仮想開封ラインＬに沿って切り裂き開封したパウチ本体の開封開口するパウチ開口部１１からパウチ本体内に、天シール部３とパウチ本体両側端部４、５とにより形成される天シール部３両端の一対の角隅部３ａと角隅部３ｂとを順に、図４（ｂ）〜（ｃ）に示すように、パウチ開口部１１の方向に背シール部１に対して斜めに折り曲げて（重ね合わせるようにして）挿入することにより、パウチ開口部１１を再封することが可能になっている。
【００２９】
図４（ａ）〜（ｃ）に示すような他の実施の形態である再封方式の場合は、前記パウチ本体の天シール部３と仮想開封ラインＬとの間に、前記天シール部３両端の一対の各々角隅部３ａ、３ｂをパウチ開口部方向に斜めに折り曲げるための印刷等により表示された折
目線、又は罫押し（プレス加工）等により癖付けした折目線などの斜め方向に交差するような折目７、７が設けられていて、その折目部７に沿ってパウチ開口部方向に折り曲げることにより、パウチ本体のパウチ開口部１１内に、天シール部３の各々角隅部３ａ、３ｂを挿入して再封することができる。なお、斜め方向に交差する折目部７、７の交点の設定位置は、図４（ａ）、（ｂ）に示すように、筒状偏平体Ｓの領域内又は領域外であって、パウチ本体の仮想開封ラインＬと天シール部３との間であって、背シール部１の領域内に設定することが適当であるが、その設定位置は本発明においては特に限定されるものではない。
【００３０】
本発明のリクローズ可能な背シール形態の偏平状パウチのその他の実施の形態として、パウチ本体の前記背シール部１のシール内側端１ｂの外側又は内外両側端１ａ、１ｂの外側に沿って、筒状偏平体Ｓの背シール部３形成側の片面Ｓ1 に、あるいは背シール部１の長手方向に沿って、そのシール領域直下にある筒状偏平体Ｓの背シール部３形成側の片面Ｓ1 （その中央部）に、全体又は部分的に、印刷等により可視表示された折目線、又は罫押し（プレス加工）等により山折り形状に癖付けした折目線などの粉粒状等の内容物注出用の折目部８が設けられている。なお、その内容物注出用の折目部８は、前記仮想開封ラインＬと交差するように（又は直交するように）設けられていることが適当である。
【００３１】
なお、図１〜図４に示した本発明のリクローズ可能な背シール形態の偏平状パウチ内には、未だヒートシールされていない底シール部２と天シール部３のいずれか１方の開口した状態の偏平状パウチ内に、塊状、粉粒状、液体状の各種の内容物が、必要に応じて、真空包装加工や冷凍包装加工等がなされて密封包装され、その内容物が包装された状態の実際の外観形状はピロー状等の立体的な外観形状に形成されるが、図１〜図４では、それを省略して偏平状のパウチとして図示している。
【００３２】
本発明のリクローズ可能な背シール形態の偏平状パウチは、図２（ａ）に示す未開封のパウチを、（ｂ）に示すように背シール部１に刻設された微細な切込状のノッチ６（あるいは背シール部１の長手方向に直交する方向の微細線状の傷加工）をきっかけに、仮想開封ラインＬに沿って筒状偏平体Ｓの片面Ｓ1 を切り裂いて、パウチを開封し、（ｃ）に示すように開封開口部１１を形成して、パウチ内に収納されている内容物をその開口部１１から取り出すことができる。
【００３３】
図２（ａ）に示す本発明の偏平状パウチには、その筒状偏平体Ｓの片面Ｓ1 側に、前述したような内容物注出用の折目癖付部８が形成されており、図２（ｃ）にて、開封開口部１１が形成された際には、癖付折目部８に沿って片面Ｓ1 が山折り状に屈曲し、開封開口部１１の片面Ｓ1 側がＶの字状に開口するようになって、そのＶの字状部１２を利用して内容物を取り出し易くなっている。
【００３４】
図２（ａ）に示した本発明の偏平状パウチ内に、例えば、粉粒状あるいは液体状などの内容物が包装されている場合には、図２（ａ）に示すパウチを天シール部３を上方にして手に持ち、仮想開封ラインＬに沿ってパウチの筒状偏平体Ｓの片面Ｓ1 を切り裂き開封して、開封開口部１１が形成された後には、その偏平状パウチの背シール部１がある片面Ｓ1 を下側に、他面Ｓ2 を上側にそれぞれ向けることにより、Ｖの字状部１２を注出用ガイドとして利用して粉粒状あるいは液体状などの内容物を注出することができる。
【符号の説明】
【００３５】
Ｓ…筒状偏平体
Ｓ1 …片面
Ｓ2 …他面
１…背シール部
２…底シール部
３…天シール部
４、５…パウチ側端部
４ａ、５ａ…折込部
６…ノッチ（又は傷加工部）
７…再封用の癖付折目部
８…注出用の癖付折目部
【図１】
2011178404.tif 000003
【図２】
2011178404.tif 000004
【図３】
2011178404.tif 000005
【図４】
2011178404.tif 000006